(57)【要約】【課題】試料を観察、測定する際に、測定の為の移動量が多い場合でも、また長時間にわたる場合でも、対物レンズ先端部に供給される液浸媒質が対物レンズ先端部からこぼれおちることが少ない液浸対物レンズ、液浸媒質の保持機構及びその製造方法を提供する。【解決手段】液浸対物レンズ１０と、液浸対物レンズに嵌合するための開口部を有する底板４１と、底板の周囲に沿って配設された壁板４２と、対物レンズ先端部に液浸媒質を供給する液浸媒質供給部３４と、底板の壁板近傍に設けられて対物レンズ先端部からの液浸媒質の液だれを排出する液浸媒質の液だれ排出部３５とを備え、底板は、開口部を取り巻くように配置される液浸媒質を保持するための第１の材質からなる第１のリング状部材（α部）を備え、開口部側が壁板側よりも高くなるように傾斜し、第１のリング状部材の液浸媒質に対する親和性は、第１のリング状部材の内側の部材の液浸媒質に対する親和性よりも低い。【選択図】図９
2010217930.tif 000002
【特許請求の範囲】
【請求項１】
液浸対物レンズを使用して試料を観察、測定する装置の液浸媒質の保持機構において、
前記液浸対物レンズは先端部、レンズ環部及びレンズ外枠から形成され、該レンズ環部は先端部のレンズからレンズ外枠に至る傾斜した面全体からなり、
前記液浸対物レンズに嵌合するための開口部を有する底板と、
前記底板の周囲に沿って配設された壁板と、
前記対物レンズ先端部に前記液浸媒質を供給する液浸媒質供給部と、
前記底板の壁板近傍に設けられて対物レンズ先端部からの前記液浸媒質の液だれを排出する前記液浸媒質の液だれ排出部とを備え、
前記底板は、前記開口部を取り巻くように配置される前記液浸媒質を保持するための第１の材質からなる第１のリング状部材を備え、前記開口部側が前記壁板側よりも高くなるように傾斜し、
前記第１のリング状部材の液浸媒質に対する親和性は、前記第１のリング状部材の内側の部材の液浸媒質に対する親和性よりも低いことを特徴とする液浸媒質の保持機構。
【請求項２】
更に、前記第１のリング状部材の外側に前記第１のリング状部材を取り巻くように配置される前記液浸媒質を排出するための第２の材質からなる第２のリング状部材を有し、
前記第１のリング状部材の前記液浸媒質に対する親和性は、前記第２のリング状部材の液浸媒質に対する親和性より低いことを特徴とする請求項１に記載の液浸媒質の保持機構。
【請求項３】
前記第１のリング状部材の前記液浸媒質との接触角が６０°より大きいことを特徴とする請求項１又は２に記載の液浸媒質の保持機構。
【請求項４】
前記液浸媒質を保持する第１のリング状部材、または第２のリング状部材の少なくとも一方の材質は合成樹脂であることを特徴とする請求項１乃至３の内いずれか１項に記載の液浸媒質の保持機構。
【請求項５】
前記第１のリング状部材は前記液浸媒質を保持するための材質で表面処理された領域であることを特徴とする請求項１乃至４の内いずれか１項に記載の液浸媒質の保持機構。
【請求項６】
液浸対物レンズを使用して試料を観察、測定する装置の液浸媒質の保持機構の製造方法において、
前記液浸対物レンズは先端部、レンズ環部及びレンズ外枠から形成され、該レンズ環部は先端部のレンズからレンズ外枠に至る傾斜した面全体からなり、
前記液浸対物レンズに嵌合するための開口部を底板に設け、
前記底板の周囲に沿って壁板を配設し、
前記対物レンズ先端部に前記液浸媒質を供給する液浸媒質供給部を設け、
前記底板の壁板近傍に対物レンズ先端部からの前記液浸媒質の液だれを排出する前記液浸媒質の液だれ排出部を設け、
前記底板に、前記開口部を取り巻くように前記液浸媒質を保持するための第１の材質からなる第１のリング状部材を配置し、
前記底板を前記開口部側が前記壁板側よりも高くなるように傾斜して構成し、
前記第１のリング状部材の液浸媒質に対する親和性は、前記第１のリング状部材の内側の部材の液浸媒質に対する親和性よりも低くすることを特徴とする液浸媒質の保持機構の製造方法。
【請求項７】
更に、前記第１のリング状部材の外側に前記第１のリング状部材を取り巻くように前記液浸媒質を排出するための第２の材質からなる第２のリング状部材を配置し、
前記第１のリング状部材の前記液浸媒質に対する親和性を、前記第２のリング状部材の液浸媒質に対する親和性より低くすることを特徴とする請求項６に記載の液浸媒質の保持機構の製造方法。
【請求項８】
前記第１のリング状部材の前記液浸媒質との接触角が６０°より大きい部材を配置することを特徴とする請求項６又は７に記載の液浸媒質の保持機構の製造方法。
【請求項９】
前記液浸媒質を保持する第１のリング状部材、または第２のリング状部材の少なくとも一方の材質を合成樹脂とすることを特徴とする請求項６乃至８の内いずれか１項に記載の液浸媒質の保持機構の製造方法。
【請求項１０】
前記第１のリング状部材は、前記液浸媒質を保持するための第１の材質で表面処理された領域であることを特徴とする請求項６乃至９の内いずれか１項に記載の液浸媒質の保持機構の製造方法。
【発明の詳細な説明】
【技術分野】
【０００１】
本発明は、液浸対物レンズを用いて試料を観察、測定する装置における、液浸媒質を保持するための保持機構及びその製造方法に関する。
【背景技術】
【０００２】
液浸対物レンズを用いて試料ステージに載置されたマイクロプレート内の試料の観察、あるいは測定を行なう場合には、対物レンズの先端に液浸媒質を供給して、その液浸媒質とマイクロプレートの底面ガラスとを介して試料を観察、測定する。この液浸媒質には水またはイマージョンオイルが用いられる。
【０００３】
特許文献１には、蛍光相関分光解析装置に関する技術が記載されている。この装置はマイクロプレートの下面より液浸対物レンズを通して、光を試料に照射し、試料から発せられる蛍光を検出するものである。ところで、マイクロプレートには、試料を収容するための多数のウェルが空間的に離れた位置に設けられている。従って、マイクロプレートを用いる測定では観察範囲が広く、水平方向の移動量が大きいため、測定領域の移動に伴ってレンズ先端部の液浸媒質がマイクロプレート底板に付着し飛散してしまうことがあった。また、測定が長時間におよぶ場合には、対物レンズに長時間、強力なレーザー光が通るために乾燥が促進され、液浸媒質が消失してしまうことがあった。
【０００４】
そこで、特許文献２には、液浸媒質を大量に供給する液浸媒質の供給デバイスが開示されている。
【先行技術文献】
【特許文献】
【０００５】
【特許文献１】米国特許第６０７１７４８号明細書
【特許文献２】国際公開第０２／０９３２３２号パンフレット
【発明の概要】
【発明が解決しようとする課題】
【０００６】
しかしながら、特許文献２に記載の方法では、測定位置を移動する毎に液浸媒質を供給するため、大量の液浸媒質を備える必要があった。また、液浸媒質の供給には時間がかかるため、トータルの測定時間が長くなってしまうという問題も指摘されていた。
【０００７】
本発明は、かかる事情に鑑みてなされたものであって、試料を観察、測定する際に、測定の為の移動量が多い場合でも、また長時間にわたる場合でも、対物レンズ先端部に供給される液浸媒質が対物レンズ先端部からこぼれおちることが少ない液浸媒質の保持機構およびその製造方法を提供することを目的としている。
【課題を解決するための手段】
【０００８】
上記課題を解決するための本発明は、液浸対物レンズを使用して試料を観察、測定する装置の液浸媒質の保持機構において、前記液浸対物レンズは先端部、レンズ環部及びレンズ外枠から形成され、該レンズ環部は先端部のレンズからレンズ外枠に至る傾斜した面全体からなり、前記液浸対物レンズに嵌合するための開口部を有する底板と、前記底板の周囲に沿って配設された壁板と、前記対物レンズ先端部に前記液浸媒質を供給する液浸媒質供給部と、前記底板の壁板近傍に設けられて対物レンズ先端部からの前記液浸媒質の液だれを排出する前記液浸媒質の液だれ排出部とを備え、前記底板は、前記開口部を取り巻くように配置される前記液浸媒質を保持するための第１の材質からなる第１のリング状部材を備え、前記開口部側が前記壁板側よりも高くなるように傾斜し、前記第１のリング状部材の液浸媒質に対する親和性は、前記第１のリング状部材の内側の部材の液浸媒質に対する親和性よりも低い。
【０００９】
また本発明は、液浸対物レンズを使用して試料を観察、測定する装置の液浸媒質の保持機構の製造方法において、前記液浸対物レンズは先端部、レンズ環部及びレンズ外枠から形成され、該レンズ環部は先端部のレンズからレンズ外枠に至る傾斜した面全体からなり、前記液浸対物レンズに嵌合するための開口部を底板に設け、前記底板の周囲に沿って壁板を配設し、前記対物レンズ先端部に前記液浸媒質を供給する液浸媒質供給部を設け、前記底板の壁板近傍に対物レンズ先端部からの前記液浸媒質の液だれを排出する前記液浸媒質の液だれ排出部を設け、前記底板に、前記開口部を取り巻くように前記液浸媒質を保持するための第１の材質からなる第１のリング状部材を配置し、前記底板を前記開口部側が前記壁板側よりも高くなるように傾斜して構成し、前記第１のリング状部材の液浸媒質に対する親和性は、前記第１のリング状部材の内側の部材の液浸媒質に対する親和性よりも低くする。
【発明の効果】
【００１０】
この発明によれば、試料を観察、測定する際に、測定の為の移動量が多い場合でも、また長時間にわたる場合でも、対物レンズ先端部に供給される液浸媒質が対物レンズ先端部からこぼれおちることが少ない液浸媒質の保持機構およびその製造方法を提供することができる。
【図面の簡単な説明】
【００１１】
【図１】本発明に係る第１の実施の形態の液浸媒質の保持機構が適用される観察測定装置の構成を示す図。
【図２】対物レンズの先端部とマイクロプレートの一部を拡大して示す断面図。
【図３】第１の実施の形態に係る液浸媒質の保持機構を示す斜視図。
【図４】第１の実施の形態に係る液浸媒質の保持機構の縦断面図。
【図５Ａ】液浸媒質と保持する材質の親和性と接触角の関係を模式的に示す図。
【図５Ｂ】液浸媒質と保持する材質の親和性と接触角の関係を模式的に示す図。
【図６】液だめプレートの断面図。
【図７】対物レンズの先端部とマイクロプレートの一部を拡大して示す断面図。
【図８】第１の実施の別形態に係る液浸媒質の保持機構を示す斜視図。
【図９】第１の実施の別形態に係る液浸媒質の保持機構を示す断面図。
【図１０】第４の実施の形態に係る液浸媒質の保持機構を示す斜視図。
【図１１】第４の実施の形態に係る液浸媒質の別の保持機構を示す斜視図。
【発明を実施するための形態】
【００１２】
［第１の実施の形態］
図１は、本発明に係る第１の実施の形態の液浸媒質の保持機構が適用される観察測定装置の構成を示す図である。この観察測定装置の基本的な装置構成は倒立型顕微鏡をベースとしており、例えば共焦点光学顕微鏡に適用した場合を図１を参照しつつ、装置の構成と動作を説明する。
【００１３】
本観察測定装置には２種類の光源１ａ、１ｂが設けられている。光源１ａには、ヘリウムネオン・レーザー（発振出力２ｍＷ、波長：６３３ｎｍ）を用い、光源１ｂには、アルゴン・レーザー（発振出力１０ｍＷ、波長：４８８ｎｍ）を用いる。
【００１４】
光源１ａから出射された光は、ミラー２によって進行方向が変化し、ダイクロイック・ミラー３で、光源１ｂから出射された光と１つの光路に合成される。１つにされた光ビームはレンズ４によってビーム直径が拡大された平行光ビームとなり、ダイクロイック・ミラー５で反射され、対物レンズ１０に到達する。
【００１５】
ダイクロイック・ミラー５はガラス製の平板の一方に多層膜コーティングを施して、透過、反射のスペクトル特性が最適になるように製作されている。なお、ダイクロイック・ミラー５としてはプリズム形状のものを用いても良い。
【００１６】
ＸＹステージ１９上には試料を保持したマイクロプレート２０が固定して載置されている。ＸＹステージ１９でマイクロプレート２０の水平面上の位置を調整し、Ｚ軸調整機構１７により対物レンズ１０の垂直方向位置を調整して、対物レンズ１０で集光した領域（共焦点領域と言う）に測定対象の試料が位置するように調整する。
【００１７】
マイクロプレート２０は、９６個のウェル２２（試料を収容する円形の溝）を備えている。各ウェル２２の底面はガラスなどの可視光を透過する素材で作成された窓となっており、マイクロプレート２０の下方に対峙する対物レンズ１０から出射される光がこの窓を透過して試料内に集光する。
【００１８】
対物レンズ１０は、例えば×４０水浸対物レンズ（ＮＡ０．９）を用いる。そのため、マイクロプレート２０の底面（ウェル２２の底面）と対物レンズ１０の先端部の間は液浸媒質である水で満たされている。この対物レンズ１０によって、光源から発せられた光がウェル２２内で形成される共焦点領域の大きさと形状は直径０．６μｍ程度、長さ２μｍ程度の略円筒状となる。またレーザー光の集光位置は、水平方向（Ｘ−Ｙ軸）についてはウェル２２の中央部分であり、垂直方向（Ｚ軸）についてはウェル２２の底面の上壁位置から１００μｍ上方とする。
【００１９】
対物レンズ１０で集光されたレーザー光は試料内の蛍光物質を励起し、蛍光物質からは蛍光が発せられる。蛍光物質としては種々の蛍光色素を用いることができる。例えば、ローダミン・グリーン（Rhodamine Green:RhG）を用いた場合には、ローダミン・グリーンは吸収のピーク波長が４９０ｎｍ付近にあり、発光波長は５３０ｎｍ付近にピークを持っている。従ってアルゴン・レーザーでローダミン・グリーンを励起する。また蛍光物質としてサイファイヴ（Ｃｙ５）を用いたときには、ヘリウムネオン・レーザーで励起する。サイファイヴ（Ｃｙ５）は吸収のピーク波長が６４０ｎｍ付近にあり、発光波長は６７０ｎｍ付近にピークを持っている。
【００２０】
この蛍光は再び対物レンズ１０、続いてダイクロイック・ミラー５を通過して、バリア・フィルター７に入射する。バリア・フィルター７は円板状で、蛍光の発光スペクトルの波長域の光のみが通過するように透過特性が調整されている。これにより、レーザ光の一部が試料容器内で散乱しあるいはウェル２２の壁などで反射して、入射光路に戻ってくるノイズ光をカットすることができる。即ち、蛍光の波長とバックグラウンド光の波長が異なるためノイズ光を遮断することができる。
【００２１】
バリア・フィルター７を通過した信号光はレンズ８を通過し、集束光となってミラー９で反射され、後方に配置されたピンホール１６のピンホール面に集光される。すなわちレンズ８の焦点面とピンホール１６の開口面とが一致している。ピンホール１６の直径は５０μｍであり、ピンホール１６により、ウェル２２内に形成された光の共焦点領域外からのバックグラウンド光が除去される。
【００２２】
ピンホール１６の後方近傍には光検出器１１が配置されている。光検出器１１で受光する信号光は微弱光であり、フォトン・パルスとなっている。そこで光検出器１１は、例えばアバランシェ・フォトダイオード（略称：ＡＰＤ）、あるいは光電子増倍管などの微弱光検出器を用いる。
【００２３】
光検出器１１によって、信号光は電気信号（電流パルス）に変換され、信号処理装置１２に入力する。信号処理装置１２において、電気信号は増幅、波形整形されて、ＯＮ−ＯＦＦ電圧パルスとなって、コンピューター１３に導かれる。そしてＯＮ−ＯＦＦ電圧パルスはコンピューター１３のメモリ（図示しない）に記憶されると共に、このデータに基づいて相関解析などの演算が行なわれる。そして、蛍光の強度、蛍光の寿命、得られた蛍光の強度ゆらぎの自己相関関数、あるいは相互相関関数などの解析結果がコンピューター１３のモニター１４上に表示される。
【００２４】
図２は、図１のＡ部分の拡大図、即ち、対物レンズ１０の先端部とマイクロプレート２０の一部を拡大して示す断面図である。
【００２５】
図１で説明したように、マイクロプレート２０はＸＹステージ１９（不図示）上に載置され、対物レンズ１０がマイクロプレート２０の底面に対向するように倒立して配置されている。そして、マイクロプレート２０に埋設されたウェル２２内には試料２３が収容されている。マイクロプレート２０のサイズは、幅１２７ｍｍ、長さ８５．５ｍｍ、高さ１４．５ｍｍであり、よく用いられる９６円形ウェルの場合、その溝のサイズは直径６．６ｍｍ、深さ１２．５ｍｍである。
【００２６】
対物レンズ１０の先端部とマイクロプレート２０の底面の間は液浸媒質３１（例えば、液浸水）で満たされている。マイクロプレート２０のウェル２２部分の底面は、ガラス、アクリル樹脂などの光学的に透明な材質で形成されており、対物レンズ１０を通過した光が液浸媒質３１を介して殆んど減衰することなく、ウェル２２内に収容された試料に入射する。
【００２７】
マイクロプレート２０を容器として用いて試料を観察、測定する場合は、通常、数多くのウェル２２内に試料を収容し、それぞれの試料について、別々に測定、あるいは観察を行なう。従って、ＸＹステージ１９をＸＹ平面内で作動させ、マイクロプレート２０を移動調整しながら、順次測定を繰り返し行なうことが必要になる。先端部を液浸媒質３１で満たされた対物レンズ１０の上方でマイクロプレート２０が移動を繰り返し行なうため、マイクロプレート２０の移動に伴って、対物レンズ１０先端部に形成された液浸媒質３１が飛散してしまう。また、測定が長時間に及ぶ場合などは対物レンズ１０を光が通過しているために、光の熱エネルギーが液浸媒質３１に伝わり、液浸媒質３１の蒸発を招く。そのため対物レンズ１０先端部とマイクロプレート２０底面との間には十分な量の液浸媒質を満たしておく必要がある。
【００２８】
なお、液浸媒質３１は実施例で述べたように水（液浸水）に限らず、油を使用しても良い。
【００２９】
図３は、第１の実施の形態に係る液浸媒質の保持機構を示す斜視図であり、図４は、第１の実施の形態に係る液浸媒質の保持機構の縦断面図である。図３、図４を参照しつつ液浸媒質の保持機構について説明する。
【００３０】
本実施例では、図４に示すように、液浸媒質の保持機構は、対物レンズ１０の周囲に嵌合して取り付けられる中空の底板４１、この底板４１の周囲に沿って張り巡らされた壁４２で構成されている。そして、底板４１の表面は液浸媒質３１に対して撥水処理をしたα部と親水処理をしたβ部が設けられている。この液浸媒質の保持機構は、液浸媒質３１の液だめ構造になっている。以下、液浸媒質の保持機構を「液だめプレート」４０という。
【００３１】
液だめプレート４０の底板４１の中央の開口部分には対物レンズ１０が挿入され、Ｏリング４５によってシールが施されて、底板４１と対物レンズ１０の嵌合部分からの液浸媒質３１の漏れを防止している。
【００３２】
液だめプレート４０の壁４２には塩化ビニール樹脂で形成された中空の給液チューブ３４が接続されており、この給液チューブ３４の中を通って、液浸媒質３１が対物レンズ１０上に供給される。図４に示すように、液浸媒質３１は、対物レンズ１０の先端部のレンズ環４３を覆い、α部との接触角の関係で定まるドーム状の塊を形成する。
【００３３】
マイクロプレート２０の移動に伴って液浸媒質３１は、α部の表面を伝いβ部の表面を流下して壁４２で堰き止められ、液だめプレート４０内に保持される。液だめプレート４０の床には塩化ビニール樹脂で形成された中空の廃液チューブ３５が接続されており、この廃液チューブ３５を通って、液だめプレート４０内を流下した液浸媒質３１が排出される。
【００３４】
液だめプレート４０の外形は円形で、材質はアルミニュームである。またこの液だめプレート４０の周囲に張り巡らされた壁４２の材質も同じくアルミニュームである。壁４２のサイズは、高さ２ｍｍ、厚さ１ｍｍである。給液チューブ３４及び廃液チューブ３５のサイズは共に、外径は３ｍｍ、内径は２ｍｍである。なお、液だめプレートの材質はアルミニュームに限ることなく、例えば鉄、銅などの金属をはじめ、ガラスや、アクリル樹脂などでも良い。また、給液チューブ３４及び廃液チューブは塩化ビニール樹脂に限ることなく、ポリエチレン、ポリスチレンなどの樹脂、あるいはガラス管や鉄などの金属製のパイプであってもよい。
【００３５】
次に、本発明に係る液浸媒質の保持機構の基本的な考え方を説明する。図５Ａ、図５Ｂは、液浸媒質に対する親和性、すなわち、疎水性、親水性と接触角の関係を模式的に示す図である。
【００３６】
親和性が高い場合は、濡れ性が高くなり接触角が小さくなる。親和性が低い場合は、濡れ性が低くなり接触角が大きくなる。本発明は、液浸媒質を保持する材質と液浸媒質の間の親和性の大小を利用し、この材質を変更することにより親和性を制御して、液浸媒質の保持と排出を好適に行うことができる。
【００３７】
以下に、液浸媒質の保持と排出について具体的な構成と共に詳細に説明する。
【００３８】
対物レンズ１０の先端部を取り巻くように、液浸媒質３１と親和性の低い第１の部材（α部）を配置する。具体的には、液浸媒質３１と第１の部材との接触角が所定角以上であれば、効果的に液浸媒質をはじくことが可能であり、この結果、表面張力により液浸媒質３１をドーム状に保持することが可能となる。多量の液浸媒質３１を供給しても重力に逆らって、表面張力により液浸媒質３１がドーム状に保持されれば、この状態でマイクロプレート２０等の試料容器底面に接触させて、長時間観察、測定しても液浸媒質３１が安定に保持されるため、安定した測定データを得ることができる。
【００３９】
液浸媒質に水を用いた場合に、液浸媒質３１をはじく、つまり、親和性が低い材質としては、例えば、ナイロン、ポリ塩化ビニル、ポリ塩化ビニリデン、ポリエチレンテレフタレート、ポリメタクリル酸メチル等の樹脂が挙げられる。好ましくは、接触角が７５度のポリエチレンテレフタレートや接触角が８０度のポリメタクリル酸メチルである。より好ましくは、接触角は９０°以上であり、ポリエチレン、ポリスチレン、ポリカーボネイト、ポリプロピレン、ポリアセタール、ＡＢＳ樹脂やポリテトラフルオロエチレン、ポリトリフルオロエチレン、ポリクロロトリフルオロエチレン等の各種フッ素含有樹脂等の各種樹脂やＺｎＯ（酸化亜鉛）等が挙げられる。これらの材質を用いて対物レンズ先端部近傍の液浸媒質を保持する部材を構成することが可能である。
【００４０】
また、これらの材質やアルキルシランやフルオロアルキルシランを基材に対して、直接または間接的にコーティングして、対物レンズ先端部近傍の液浸媒質を保持する部材を構成することも可能である。また、ポリテトラフルオロエチレン、ポリトリフルオロエチレン、ポリクロロトリフルオロエチレン等の各種フッ素含有樹脂の粒子を電解液中に懸濁させて、基材上にメッキを行う複合メッキでも対物レンズ先端部近傍の液浸媒質を保持する部材を構成することが可能である。
【００４１】
液浸媒質に水を用いる場合に、親和性を低くし、接触角を大きくするには、前述したアルキルシランやフルオロアルキルシラン等、疎水基を基材表面へ形成させることが好ましい。
【００４２】
この疎水基は、-R, -RX, -SiR3, -SiRmXn, -OR, -CS, -COOCH3, -CH2OCH3等が挙げられる。ここで、Ｒはアルキル基、Ｘはハロゲンである。
【００４３】
さらに試料容器と、液浸媒質３１が接触してあふれた液がたまる周辺部は、第２の部材（β部）を親液性にすることにより、液浸媒質３１が流れやすくなるので排液性を高めることが可能である。具体的には、第１の部材の外側の周を形成する第２の部材と液浸媒質３１との親和性を高くすると排液性を高めることが可能である。特に、接触角が、所定角より小さい場合に排液性を更に高めることが可能である。
【００４４】
液浸媒質に水を用いる場合に、接触角を小さくするには、あふれた液がたまる周辺部の基材表面に、水ガラスやシリコンアルコキシドの加水分解物、これらに、水溶性の樹脂やコロイダルシリカを添加したもの等、基材表面へ親水基を形成させることが好ましい。
【００４５】
この親水基は、-SO3H, -SO3M, -OSO3H, -OSO3M, -COOM, -NR3HX, -COOH, -NH2, -CN, -OH, -NHCONH2, -(OCH2CH2) n-である。ここで、Ｒはアルキル基、Ｍはアルカリ金属または-NH4，Ｘはハロゲンである。
【００４６】
また、ＴｉＯ２（二酸化チタン）をコーティングし、光触媒作用により、親水性の表面を形成しても良い。
【００４７】
これらの液浸媒質に対する親和性を制御することができる表面処理の方法は種々の方法を適用することが可能である。種々のメッキ、塗装、溶射、融着、塗布、ディップコート、スピンコート、スプレーコート、蒸着、スパッタリング等を適用することができる。
【００４８】
この基本的な技術思想に基づいて、第１の実施の形態では、次のように液浸媒質の保持機構を構成した。
【００４９】
図６は、液だめプレートの断面図である。底板４１とレンズ環４３はアルミニウムで形成し、α部及びレンズ環４３の表面には、表面処理を施してポリテトラフルオロエチレンの焼付け塗装を行なった。このポリテトラフルオロエチレンの液浸媒質３１である水との接触角は、約１１０°であった。レンズ環４３の内径ｒは１８ｍｍ、外径Ｒは３０ｍｍで、傾斜角θは１５°とした。
【００５０】
この装置に液浸媒質３１として水を供給し、観察位置の移動や焦点調節を行なったが、液浸媒質３１である水は、α部との接触角が大きいため、液浸媒質は効果的にドーム形状が対物レンズ１０先端部とマイクロプレート２０底面の間に長時間、安定に維持されていた。
【００５１】
本発明では対物レンズ先端部とマイクロプレート２０の底面との間に満たされた液浸媒質３１が大量に供給されても、重力により簡単に液浸対物レンズ１０本体を伝わって流れ落ちずに、液浸対物レンズ１０先端部の液浸媒質３１を長時間安定に保持するように工夫したものである。
【００５２】
この目的を達成するため、α部、またはレンズ環４３で構成される液浸媒質３１を保持する領域は、図６に示すように、内径ｒが２〜２０ｍｍ、外形Ｒが１０〜４０ｍｍとし、また、傾斜角θは、１〜３０度の範囲にあればよい。
【００５３】
［第１の実施の形態の変形例］
次に、第１の実施の形態の変形例について説明する。本変形例では、液浸媒質の保持機構が異なっている。図７は、対物レンズの先端部とマイクロプレートの一部を拡大して示す断面図である。
【００５４】
図７に示すように、本変形例では、液だめプレート４０の内壁が対物レンズ１０を中心としたすり鉢状の形状となっている。一方、液だめプレート４０の外壁は円筒状になっている。自動給排液機構２４から供給される液浸媒質が対物レンズ１０の中心のレンズ部分から溢れ出た場合、液だめプレート４０の内壁がすり鉢状になっているために、スムーズに液浸媒質を廃液チューブ３５内に導くことができる。
【００５５】
〔第１の実施の形態の変形例２〕
図８は、液浸媒質を保持するレンズ環部を示す上面図である。本変形例では図８に示すように、レンズ環部がα部材とβ部材からなる分離構造となっている。これにより、媒質の保持と排出を好適に行うことができる。
【００５６】
更に別の変形例では液浸媒質の保持機構は、図９に示すように、レンズ環部、対物レンズ１０の周囲に嵌合して取り付けられる中空の底板４１、この底板４１の周囲に沿って張り巡らされた壁４２で構成されている。なお、レンズ環部は対物レンズの先端部のレンズからレンズ外枠に至る傾斜した面全体を指す。レンズ環部はアルミニウムでα部材が嵌合する窪みを有しており、全体がアルマイト処理されている。水に対する親和性が低い材質であるポリプロピレン（接触角約９０°）を、この窪みに嵌合するようにドーナツ状に成型したものをはめ込んだ。アルマイトはポリプロピレンより水に対する親和性は高く、液浸媒質はレンズ上に安定して保持され、余剰な液浸媒質はすみやかに排出された。
【００５７】
［第２の実施の形態］
本発明に係る第２の実施の形態の液浸媒質の保持機構の形状は第１の実施の形態と同一であるが、α部、β部、レンズ環４３の表面処理方法が第１の実施の形態と異なっている。従って、第１の実施の形態と同一の部位には同一の符号を付して引用し、その詳細の説明を省略する。
【００５８】
第２の実施の形態では、α部及びレンズ環４３に、フルオロアルキルアルコキシシランの１種であるＣＦ３ＣＦ２ＣＨ２Ｓｉ（ＯＣＨ３）３の２％メタノール溶液をスプレーコートし、β部はマスクしてコートされないようにした。そして、その後に、室温にて乾燥した。
【００５９】
次に、β部のマスクを外し、α部にマスクをして、トリメトキシシランのメタノール溶液に少量の硝酸を加え、１時間加水分解を行った後に、β部にスプレーコーティングした。そして、これを１２０℃で１時間乾燥した。なお、コーティング前のα部の平均表面あらさは２ｎｍであった。本実施の形態のα部とβ部の水に対する接触角を測定すると、それぞれ約６０°と約２０°であった。
【００６０】
この装置に液浸媒質３１として水を供給し、観察位置の移動や焦点調節を行なったが、液浸媒質３１の水によるドームは効果的に形成されて保持され、ドームからこぼれ落ちた水は効果的に排出された。親和性が低い材質と液浸媒質の接触角が６０°であれば、常時安定して水によるドームは効果的に形成されて保持され、ドームからこぼれ落ちた水は効果的に排出された事を確認した。
【００６１】
［第３の実施の形態］
本発明に係る第３の実施の形態の液浸媒質の保持機構の形状は第１の実施の形態と同一であるが、α部、β部、レンズ環４３の表面処理方法が第１の実施の形態と異なっている。従って、第１の実施の形態と同一の部位には同一の符号を付して引用し、その詳細の説明を省略する。
【００６２】
第３の実施の形態では、α部及びレンズ環４３に、フルオロアルキルアルコキシシランの１種であるＣＦ３ＣＦ２ＣＨ２Ｓｉ（ＯＣＨ３）３の２％メタノール溶液をスプレーコートし、β部はマスクしてコートされないようにした。そして、その後に、室温にて乾燥した。
【００６３】
次に、β部のマスクを外し、α部にマスクをして、トリメトキシシランのメタノール溶液に少量の硝酸を加え、１時間加水分解を行った後に、β部にスプレーコーティングした。そして、これを１２０℃で１時間乾燥した。なお、コーティング前のα部の平均表面あらさは１４ｎｍであった。本実施の形態のα部とβ部の水に対する接触角を測定すると、それぞれ約１００°と約２０°であった。
【００６４】
この装置に液浸媒質３１として水を供給し、観察位置の移動や焦点調節を行なったが、液浸媒質３１の水によるドームは効果的に形成されて保持され、ドームからこぼれ落ちた水は効果的に排出された。
【００６５】
〔第４の実施の形態〕
図１０は、液浸媒質を保持するレンズ環部を示す上面図である。第４の実施の形態では、図１０に示すように、レンズ環部の表面がα部、β部、γ部の３種類の材質で構成されている。α部は対物レンズの中心軸に最も近い部分であり、親水性の材質を用いる。β部はα部の外周にリング状に形成されており、疎水性の材質が用いられている。γ部は最も対物レンズの外側部分にあり、親水性の材質が用いられている。
【００６６】
あるいは、保持機構の先端部分は１種類の部材、例えばアルミニウムを用い、表面部分をα部、β部、γ部のそれぞれ異なる部材を塗布、または被覆しても良い。この場合、α部では親水性の材質を用いて塗布、または被覆し、β部では撥水性の材質を用いて塗布、または被覆し、γ部では親水性の材質を用いて保持機構の先端部分を塗布、または被覆する。
【００６７】
さらに、α部、β部、γ部は互いに密接して液浸水媒質の保持機構の先端部分を構成し、α部、β部、γ部はそれぞれ対物レンズの中心軸から周辺に向かって降下する傾きを有しており、この構造によって、過剰の液浸水が液だめプレート４０に浸漬する。
【００６８】
具体的には、親水性の膜としてＳｉＯ２−ＴｉＯ２膜をα部とγ部に形成することが好ましい。この膜は光触媒作用により、表面を親水性に保つことができる。チタニア単成分の膜でも光触媒作用により、親水性の表面となるが、照明光が照射されていない間に、光触媒作用が停止して親水性が低下してしまうことがあるからである。これに対して、ＳｉＯ２−ＴｉＯ２の二成分膜は、Ｓｉ−ＯＨ基の親水性と相俟って、光が照射されていない間も、α部とγ部の表面を好適に親水性に保つことができる。
【００６９】
測定時には、光が遮断された状態であることが多いので、測定終了後に、親水性を回復させるために光に当てたり、ランプ等の親水性を回復させるための光源を備えていることが好ましい。
【００７０】
ＳｉＯ２−ＴｉＯ２の二成分膜は、例えば、ゾル・ゲル法により作製することができる。例えば、以下のようにして作製される。シリコンアルコキシドをアルコールで希釈し、攪拌して部分加水分解を行った後に、アルコールで希釈したチタンアルコキシドを添加して攪拌し、最終的な加水分解のために少量の水を添加し、更に攪拌してゾルを調整する。このようにして得られたゾルを、β部をマスクして塗布後に、熱処理することにより、所望の箇所にＳｉＯ２−ＴｉＯ２の二成分膜が作製される。
【００７１】
ゾル調整時の攪拌の方法は、種々の方法により行うことが可能であるが、好ましくは、遊星式攪拌脱泡機を用いると良い。遊星式攪拌脱泡機を用いると、反応が均一に進行するので、特に、部分加水分解の制御が容易にでき、特性の揃った成膜が可能であり、しかも非常に短時間でゾルを調整することが可能である。
【００７２】
次に、β部のマスクを外し、α部とγ部をマスクし、β部にフルオロアルキルアルコキシシランの一種であるＣＦ３ＣＦ２ＣＨ２Ｓｉ（ＯＣＨ３）３の２％メタノール溶液をスプレーコートし、室温にて乾燥した。
【００７３】
別の構成として、図１１に示すように、α部、β部を互いに密接して配設し、液浸媒質の保持機構の先端部分を構成し、液だめプレート４０の部分にγ部を塗布、または被覆してもよい。または液だめプレート４０に表面処理を施して、γ部を製作しても良い。
【００７４】
レンズ環部を中心から親水のα部、撥水のβ部、親水のγ部に帯状に分離することにより、対物レンズ先端部のレンズ、及びその周辺のレンズ環部上に保持される液浸媒質の液量がα部、β部２つの帯状構造に比べて、多くなる。従って、より多くの液浸媒質を対物レンズ先端部に保持することができ、長時間の顕微鏡観察を行う際に好都合である。また、液浸媒質の補充の頻度も少なくなり、実験者の手間を省くことができる。
【００７５】
液浸媒質の保持機構は、対物レンズ１０の周囲に嵌合して取り付けられる中空の底板、この底板の周囲に沿って張り巡らされた壁で構成されていることもあり、あるいはレンズ環部、対物レンズの周囲に嵌合して取り付けられる中空の底板、この底板の周囲に沿って張り巡らされた壁で構成されていることもある。
【００７６】
なお、液浸媒質３１は水浸に限定するものではなく、油浸方式についても同様の構成で本発明の目的を達成することができる。この際、使用する部材と液浸媒質３１との親和性は水と油とで逆の特性となることに留意する必要がある。例えば、上記説明において、液浸媒質３１に水を用いたときに親和性が高い材質は、油浸方式では、親和性が低い材質として用いることができる。また、液浸媒質３１に水を用いたときに親和性が小さい材質は、油浸方式では、親和性が高い材質として用いることができる。
【００７７】
また上述した本願発明の各実施の形態は、次のように表すことができる。
【００７８】
（１）  液浸対物レンズを使用して試料を観察、測定する装置の液浸媒質の保持機構において、対物レンズ先端部近傍の前記液浸媒質を保持する部材が少なくとも第１の材質と、第２の材質より構成されることを特徴とする液浸媒質の保持機構。
【００７９】
（２）  前記液浸媒質を保持する第１の材質、及び第２の材質は液浸媒質に対する親和性が異なることを特徴とする（１）に記載の液浸媒質の保持機構。
【００８０】
（３）前記液浸媒質を保持する部材は、その先端部分から周辺部分にかけて、傾斜していることを特徴とする（１）または（２）に記載の液浸媒質の保持機構。
【００８１】
（４）  前記液浸媒質を保持する第２の材質は、第１の材質の周囲に形成され、かつ、液浸媒質に対して親和性の低い材質であることを特徴とする（１）乃至（３）の内いずれか１つに記載の液浸媒質の保持機構。
【００８２】
（５）  前記液浸媒質を保持する部材に、液浸媒質に対して親和性の高い材質が複数個所形成されていることを特徴とする（１）乃至（４）の内いずれか１つに記載の液浸媒質の保持機構。
【００８３】
（６）  前記液浸媒質を保持する第１の材質、または、第２の材質のうち、液浸媒質に対して親和性の高い材質は前記液浸媒質との接触角が６０°以下であることを特徴とする（１）乃至（５）の内いずれか１つに記載の液浸媒質の保持機構。
【００８４】
（７）  前記液浸媒質を保持する第１の材質と第２の材質のうち、液浸媒質に対して親和性の低い材質は前記液浸媒質との接触角が６０°より大きいことを特徴とする（１）乃至（６）の内いずれか１つに記載の液浸媒質の保持機構。
【００８５】
（８）  前記液浸媒質を保持する第１の材質、または、第２の材質の少なくとも一方は合成樹脂であることを特徴とする（１）乃至（７）の内いずれか１つに記載の液浸媒質の保持機構。
【００８６】
（９）  前記液浸対物レンズに嵌合するための開口部と、前記液浸媒質を保持する部材を保持する皿状の底面と、前記皿状の底面の周囲に沿って配設された壁面と、前記皿状の底面または前記壁面の一部に接続した管状構造部材と、を有することを特徴とする（１）乃至（８）の内いずれか１つに記載の液浸媒質の保持機構。
【００８７】
（１０）  液浸対物レンズにおいて、少なくともレンズ環部の一部が液浸媒質との親和性が低いレンズ環部を備えたことを特徴とする液浸対物レンズ。
【００８８】
（１１）  液浸対物レンズにおいて、少なくともレンズ環部の一部の液浸媒質との親和性が低い部分の接触角が６０°以上であるレンズ環部を備えたことを特徴とする液浸対物レンズ。
【００８９】
（１２）  液浸対物レンズを使用して試料を観察、測定する装置の液浸媒質の保持機構の製造方法において、前記液浸媒質を保持する部材に、液浸媒質に対して親和性の高い材質、または、親和性の低い材質を配置するか、液浸媒質に対して親和性の高い材質、または、親和性の低い材質を表面処理して製造することを特徴とする液浸媒質の保持機構の製造方法。
【００９０】
（１３）  液浸対物レンズを使用して試料を観察、測定する装置の液浸媒質の保持機構の製造方法において、前記対物レンズ先端部近傍の前記液浸媒質を保持する部材に、前記液浸媒質との接触角が６０°以上の第１の材質を配置、または、表面処理を行い、前記液浸媒質との接触角が６０°より小さい第２の材質を配置、または、表面処理を行って製造することを特徴とする液浸媒質の保持機構の製造方法。
【００９１】
（１４）  前記液浸媒質を保持する部材に、液浸媒質に対して親和性の高い材質、親和性の低い材質の少なくともいずれかの材質で表面処理することを特徴とする（１２）又は（１３）の内いずれか１つに記載の液浸媒質の保持機構の製造方法。
【００９２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００９３】
１ａ…光源、１ｂ…光源、２…ミラー、３…ダイクロイック・ミラー、４…レンズ、５…ダイクロイック・ミラー、７…バリア・フィルター、８…レンズ、１０…対物レンズ、１１…光検出器、１２…信号処理装置、１３…コンピューター、１４…モニター、１６…ピンホール、１７…Ｚ軸調整機構、１９…ＸＹステージ、２０…マイクロプレート、２２…ウェル、２３…試料、２４…自動給排液機構、３１…液浸媒質、３４…給液チューブ、３５…廃液チューブ、４０…プレート、４１…底板、４２…壁、４３…レンズ環、４５…Ｏリング。
【図１】
2010217930.tif 000003
【図２】
2010217930.tif 000004
【図３】
2010217930.tif 000005
【図４】
2010217930.tif 000006
【図５Ａ】
2010217930.tif 000007
【図５Ｂ】
2010217930.tif 000008
【図６】
2010217930.tif 000009
【図７】
2010217930.tif 000010
【図８】
2010217930.tif 000011
【図９】
2010217930.tif 000012
【図１０】
2010217930.tif 000013
【図１１】
2010217930.tif 000014